(57)【要約】【課題】粘着テープの張力変動が生じる場合や、繰り出し速度が変動する場合であっても、安定して粘着テープの折り曲げを形成してサイドタブを作成できるテープ折り曲げガイドとテープディスペンサを提供する。【解決手段】案内する粘着テープＦの少なくとも一端部を折り返して非粘着箇所を形成可能に、粘着テープＦ出口側の幅を入口側の幅より狭くしているガイド本体１と、このガイド本体１をテープディスペンサに取り付け可能な固着具２１とを備える。ガイド本体１を取付軸２１に遊嵌状に装着していると共に、ガイド本体１を所定方向に付勢するねじりコイルバネが取付軸２１に装着されているテープ折り曲げガイドとテープディスペンサ。【選択図】　　　　図２
2004067291.tif 000002
【特許請求の範囲】
【請求項１】
案内する粘着テープの少なくとも一端部を折り返して非粘着箇所を形成可能に、粘着テープ出口側の幅を入口側の幅より狭くしているガイド本体と、このガイド本体をテープディスペンサに取り付け可能な固着具とを備えるテープ折り曲げガイドにおいて、前記ガイド本体を前記固着具に遊嵌状に装着していると共に、前記ガイド本体を所定方向に付勢する付勢手段が前記固着具に装着されていることを特徴とするテープ折り曲げガイド。
【請求項２】
前記付勢手段が、前記固着具に巻回装着されたねじりコイルバネであり、このねじりコイルバネの一端側が前記ガイド本体を上方に付勢すると共に、他端側が前記テープディスペンサ側に係止していて、前記粘着テープを案内するガイド本体を揺動可能にしている請求項１のテープ折り曲げガイド。
【請求項３】
請求項１又は２のテープ折り曲げガイドを備えるテープディスペンサ。
【発明の詳細な説明】
【０００１】
【発明の属する技術分野】
本発明はテープ折り曲げガイドとテープディスペンサに関し、詳しくは、粘着テープの少なくとも一端側を折り曲げて非粘着箇所を形成可能なテープ折り曲げガイドと、これを備えたテープディスペンサに関する。
【０００２】
【従来の技術】
物品を収納した包装容器を封緘するため、被封緘箇所に粘着テープを貼着する場合が多いが、その際、梱包を解くことを考慮して、貼着したテープ端部の一部に非粘着面が形成された折り曲げ部（サイドタブ）を形成しておくと、その箇所からテープを剥がし易くなり、便利である。サイドタブの形成には、その都度、作業者が手で行うようすることもできるが、面倒であり、特に大量の物品を梱包するような場合には、作業効率が低下することは不可避である。
【０００３】
そこで、サイドタブの形成を自動的に行えるガイド機構を備えたテープディスペンサが開発されている（例えば、実開昭６３−３７６７０号公報、特開平７−６１６８６号公報）。このテープガイドは、テープディスペンサを構成するフレームに固定されていて、テープ導入口側を幅広くし、出口側を幅狭くすることにより、テープの粘着面どうしを貼り合わせて非粘着面を形成した折り曲げ箇所をテープの一側端に形成し、サイドタブを作成できるようになっている。
【０００４】
【発明が解決しようとする課題】
しかしながら、上記従来技術のテープガイドは、テープディスペンサに不動に固定されているため、粘着テープの張力変動が生じた場合や、繰り出し（巻き戻し）速度などによっては、粘着テープの折り曲げを所定寸法通りに安定して形成できない場合が生じた。
【０００５】
かかる従来技術の実情に鑑み、本発明者らは鋭意研究した結果、テープガイドを取り付け軸を支点にして、上下に可動する機構を採用することにより、上記従来技術の有する問題点を解消できることを見出し、本発明を完成した。
【０００６】
すなわち、本発明の目的は、粘着テープの張力変動が生じる場合や、繰り出し（巻き戻し）速度が変動する場合であっても、安定して粘着テープの折り曲げを形成してサイドタブを作成できるテープ折り曲げガイドとテープディスペンサを提供することにある。
【０００７】
【課題を解決するための手段】
上記目的は各請求項記載の発明により達成される。すなわち、本発明に係るテープ折り曲げガイドの特徴構成は、案内する粘着テープの少なくとも一端部を折り返して非粘着箇所を形成可能に、粘着テープ出口側の幅を入口側の幅より狭くしているガイド本体と、このガイド本体をテープディスペンサに取り付け可能な固着具とを備えていて、前記ガイド本体を前記固着具に遊嵌状に装着していると共に、前記ガイド本体を所定方向に付勢する付勢手段が前記固着具に装着されていることにある。
【０００８】
この構成によれば、ガイド本体がテープディスペンサに不動に固着されるものではないため、案内される粘着テープの張力変動や繰り出し（巻き戻し）速度の変動が生じたとしたても、変動に応じてガイド本体が可動になって、粘着テープの繰り出し時の変動に対してガイド本体が追随変位することができるようになると共に、ガイド本体を所定方向に付勢する付勢手段が設けられていることにより、粘着テープの張力を所定範囲に維持可能になる。従って、この発明によれば、従来技術のように、粘着テープの繰り出し時の変動によって安定した折り返しが形成されないといった事態が生じるのを回避できる。
【０００９】
その結果、粘着テープの張力変動が生じる場合や、繰り出し（巻き戻し）速度が変動する場合であっても、安定して粘着テープの折り曲げを形成してサイドタブを作成できるテープ折り曲げガイドを提供することができた。
【００１０】
前記付勢手段が、前記固着具に巻回装着されたねじりコイルバネであり、このねじりコイルバネの一端側が前記ガイド本体を上方に付勢すると共に、他端側が前記テープディスペンサ側に係止していて、前記粘着テープを案内するガイド本体を揺動可能にしていることが好ましい。
【００１１】
この構成によれば、簡易な構成により、低コストで安定かつ確実に粘着テープの折り曲げを形成してサイドタブを作成できるテープ折り曲げガイドを提供できる。
【００１２】
又、本発明に係るテープディスペンサの特徴構成は、請求項１又は２のテープ折り曲げガイドを備えることにある。
【００１３】
この構成によれば、粘着テープの張力変動が生じる場合や、繰り出し（巻き戻し）速度が変動する場合であっても、安定して粘着テープの折り曲げを形成してサイドタブを作成できるテープディスペンサを提供することができる。
【００１４】
【発明の実施の形態】
本発明の実施の形態を、図面を参照して詳細に説明する。図１は、本実施形態に係るテープ折り曲げガイドを装着したテープディスペンサＡの全体構造例を示す。このテープディスペンサＡは、被封緘物の１種であるカートンＷを上流側（図１の右側）テーブルＴ上、矢印の方向に移動させると、カートンＷの上下被封緘位置に対して、薄いフィルム状をした粘着テープＦ（以下、単に「テープ」ということがある）が自動的に貼着されるようになっている。すなわち、搬送用のローラーコンベアが装着された上流側のテーブルＴ上を、矢印方向に送られるカートンＷが上下に配置されたテープ貼着機構１１の間を通過する際、ロール状に巻回された送り出しテープロール１０から繰り出されたテープＦが、テープ貼着機構１１（図１では上部のみを示す）を構成するテープ貼着ユニット１２を介してカートンＷの上下被封緘位置に貼着され、貼着し終わると自動的にテープＦはカッターで切断されると共に、切断されたテープＦは押圧ローラによりカートンＷの上下被封緘位置に貼付され、テープＦの貼着は終了する。封緘されたカートンＷ自体は、そのまま下流側のテーブルＴ上を矢印方向に前進されると共に、次のカートンＷが上流側のテーブルＴに載置され、同様に封緘処理される。
【００１５】
テープディスペンサＡの上部に配置されているテープ貼着機構１１は、高さ調節可能になっており、被封緘物の大きさの変動に対処できるようになっている。テープディスペンサＡの下部はキャスター１３が装着されていて、移動可能に構成されている。又、図１に示すテープディスペンサＡのテープ貼着ユニット１２には、貼着した後のテープを剥がし易くするため、貼着されたテープの一端側箇所に非粘着箇所をテープ長手方向に形成するテープ折り曲げガイド（後述）が装着されている。
【００１６】
テープ貼着ユニット１２の要部を、図２に示す。送り出しテープロール１０から繰り出されたテープＦ（粘着面は上面）は、テープ折り曲げガイドのテープ折り曲げガイド本体１（以下、単に「ガイド本体」ということがある）の内側に接するように通過させることにより、テープＦの一端側が数ｍｍ〜数ｃｍ程度（テープ幅に対して５〜５０％程度）折り曲げられて、粘着面どうしが貼り合わされて非粘着箇所が形成され、テープ貼着ユニット１２を構成する支持板１４に一体的に取り付けられた第１ガイドローラ１５を経由して折り返され、更に第２ガイドローラ１６により下方に向けて送られる。このテープＦは、揺動軸１７周りに揺動する揺動アーム１８に固定されている第３ガイドローラ１９を経由して、揺動アーム１８先端の第４ガイドローラ２０に送られ、この第４ガイドローラ２０の周面から、カートンＷの被貼着箇所に接当して固着し、カートンＷの前進に応じてカートンＷに引っ張られるようにして、テープＦは繰り出され、被貼着箇所に沿って貼付される。
【００１７】
カートンＷの前進に従い、揺動アーム１８は揺動軸１７周りに徐々に上方に向けて押し上げられつつ一点鎖線で示された位置に達すると、カートンＷの上面の直線状の被貼着箇所に沿って、テープＦは繰り出されて貼付され、更に、カートンＷの上面終端位置に達すると、カッター機構２３により、テープＦは自動的に切断される。切断されたテープＦは、図示はしないが、下流側に設けられた、揺動アーム１７と略同様な揺動アームの先端ガイドローラにより、カートンＷの上面から下方に向けて被貼着箇所に押し付けられ貼付されて、テープ貼着は終了する。尚、図２でＷＯは、被封緘物であるカートンＷの上面位置を示す。
【００１８】
次に、テープ貼着ユニット１２に装着されるテープ折り曲げガイドについて説明する。図３は、テープ折り曲げガイドの全体正面構造を示し、図４は、テープ折り曲げガイド本体１の（ａ）正面図、（ｂ）平面図、（ｃ）左側面図、（ｄ）斜視図を示す。
【００１９】
このテープ折り曲げガイドは、ガイド本体１とテープディスペンサ側にガイド本体１を取り付ける固着具と、この固着具に取り付けられガイド本体１を所定へ方向に付勢する付勢手段の１種であるコイルバネとから構成されている。ガイド本体１は、テープＦを案内するテープ走行部２とガイド本体１をテープディスペンサ側に取り付ける固着具を保持する軸受部３とからなり、テープ走行部２は、軸受部３と溶接などによって接合されている底部４と、この底部４の一端から曲げ加工されて内側が円弧状になるように形成されたＲ部５と、底部４の他端部からから略直角に曲げ加工されて立設している直立部６とから構成されている。テープ走行部２は、テープ受け入れ口側が出口側に比べて幾分幅広く形成されている。
【００２０】
Ｒ部５は、テープの受け入れ口側が大径となるように拡径状になっていて、この受け入れ口側から出口側に向けて円滑に傾斜しつつ出口側が小径に形成されている。Ｒ部５がこのように構成されているので、テープ進行に伴い、送給されるテープの一端部側は折り曲げられて、テープの一端側近傍の粘着面どうしが貼着され非粘着部がテープの一端側の裏面に形成される（サイドタブの形成）。テープの他端側は、折り曲げられることなく、直立部６に案内されてそのまま進行する。
【００２１】
軸受部３は、固着具である取付軸を内部に挿通可能に円筒状になっている。取付軸２１は、頭部とネジ切りされた軸部分とからなるボルト状に構成されており、その軸部分は軸受部３に遊嵌状に挿通されると共に、テープディスペンサの支持板１４に形成された挿通孔に挿通されて、支持板１４の裏側からナット（図示略）で不動に固着されることにより、テープディスペンサＡに一体的に取り付けられる。
【００２２】
取付軸２１の他端側の、ガイド本体の直立部６と支持板１４との間には、テープＦが走行して通過する際、ガイド本体１を取付軸２１周りに揺動可能に、付勢手段の１種であるねじりコイルバネ２２が装着されている。ねじりコイルバネ２２の一端側は折り曲げられて、ガイド本体の底部４に係止していると共に、これとは反対側に伸びている他端側は、第１ガイドローラ１５の中心軸の下部に係止しており、そして、ねじりコイルバネ２２の中央部は取付軸２１の周りを遊嵌状に数回巻回されている。このようになっているので、テープＦの繰り出し時の張力変動などが生じた場合には、ねじりコイルバネ２２の作用により、取付軸２１を支点としてガイド本体２が上下に追随揺動し、テープＦの繰り出し時の張力変動を吸収してテープＦの繰り出し時の張力を所定範囲に維持でき、確実に安定してサイドタブを形成できることになる。つまり、ねじりコイルバネ２２は常時ガイド本体２の底部４に係止して底部４を上方に向けて付勢しているが、ガイド本体２内をテープＦが走行・通過することにより、ガイド本体２の底部４を下方に押圧する作用力が働き、両者のバランスによってテープＦの一端側にサイドタブが形成されるようになり、テープＦの張力変動に対しても、ガイド本体２は容易に上下方向に追随揺動して、テープＦの張力を所定範囲に維持することができる。
【００２３】
〔別実施の形態〕
（１）上記実施形態では、テープＦの一端側を折り曲げてサイドタブを形成する例を示したが、ガイド本体の他端部の直立部に代えて、他端部にもＲ部を形成することにより、テープ幅方向の中央部に粘着部を残すと共に、両端部を折り曲げてサイドタブを形成するようにしてもよい。
【００２４】
（２）上記実施形態では、サイドタブを形成するＲ部を、幅広かつ大径のテープ入口側から幅狭かつ小径の出口側までを円滑に傾斜させ、繰り出されるテープが連続的に案内されるように形成している例を示したが、Ｒ部は、幅広かつ大径のテープ入口側ガイド部と、幅狭かつ小径の出口側ガイド部のみが形成された不連続的なガイドに形成されていてもよい。
【００２５】
（３）本発明のテープ折り曲げガイドを備えるテープディスペンサとしては、特に限定されるものではなく、例えば図１に例示されるような粘着テープを自動（機械）的に繰り出し被封緘物に貼付する各種自動貼付装置（例えば、封缶装置、カートンシーラー等）や、これら自動貼付装置に取り付けられるテープ貼着（供給）ユニット、あるいは、主に事務用として使用される卓上形テープディスペンサ等の種々の粘着テープ供給手段が例示される。
【００２６】
（４）上記実施形態では、固着具をボルト状に形成しテープディスペンサの支持板にナットで固着する例を示したが、これに限定されるものはなく、固着具を棒状に形成して支持板に溶接接合するようになっていてもよい。
【００２７】
（５）上記実施形態では、付勢手段の一例としてねじりコイルバネを用いた例を説明したが、ガイド本体を上方に付勢可能であれば、これに限定されるものではなく、板バネその他、種々のタイプのバネを採用することができる。
【図面の簡単な説明】
【図１】本発明に係るテープ折り曲げガイドを装着したテープディスペンサの概略正面構成図
【図２】テープ貼着ユニットの要部を説明する正面図
【図３】テープ折り曲げガイドの全体正面図
【図４】テープ折り曲げガイド本体の（ａ）正面図、（ｂ）平面図、（ｃ）左側面図、（ｄ）斜視図
【符号の説明】
１　　　　　ガイド本体
２１　　　　固着具
２２　　　　付勢手段（ねじりコイルバネ）
Ｆ　　　　　粘着テープ
【図１】
2004067291.tif 000003
【図２】
2004067291.tif 000004
【図３】
2004067291.tif 000005
【図４】
2004067291.tif 000006